(57)【要約】      （修正有）【課題】不要な操作をすることなく、簡単にハンズフリーモードで通話する。【解決手段】上部筐体１ａ及び下部筐体１ｂと、上部筐体１ａ及び下部筐体１ｂが装着可能なスタンド装置２０に対して、筐体の装着状態を検知するセンサ８と、検知部が検知したの装着状態に応じて通話モードを通常モードとハンズフリーモードとに切り替えるモード切替部（マイクロコンピュータ）と、モード切替部が通話モードをハンズフリーモードに切り替えると、着信に対して自動的に着信操作を行い、ハンズフリー通話を開始する通話開始部と（マイクロコンピュータ）とを備え、モード切替部は、上部筐体１ａ及び下部筐体１ｂがスタンド装置２０に装着されると、通話モードをハンズフリーモードに切り替え、上部筐体１ａ及び下部筐体１ｂがスタンド装置２０から脱着されると、通話モードを通常モードに切り替える。【選択図】図１
2007096572.tif 000002
【特許請求の範囲】
【請求項１】
筐体と、
前記筐体が装着可能な専用ホルダーに対して、前記筐体の装着状態を検知する検知部と、
前記検知部が検知した前記筐体の装着状態に応じて通話モードを通常モードとハンズフリーモードとに切り替えるモード切替部と、
前記モード切替部が前記通話モードを前記ハンズフリーモードに切り替えると、着信に対して自動的に着信操作を行い、ハンズフリー通話を開始する通話開始部と
を備えており、
前記モード切替部は、
前記筐体が前記専用ホルダーに装着されると、前記通話モードをハンズフリーモードに切り替え、
前記筐体が前記専用ホルダーから脱着されると、前記通話モードを通常モードに切り替える
ことを特徴とする携帯電話機。
【請求項２】
筐体と、
前記筐体に設けられ、使用状態時に前記筐体を自立可能にするスタンドと、
前記スタンドの使用・不使用状態を検知する状態検知手段と、
前記スタンドが使用状態の場合に通話モードをハンズフリーモードに切り替え、前記スタンドが不使用状態の場合に前記通話モードを通常モードに切り替えるモード切替部と、
前記モード切替部が前記通話モードを前記ハンズフリーモードに切り替えると、着信に対して自動的に着信操作を行い、ハンズフリー通話を開始する通話開始部と
を備えていることを特徴とする携帯電話機。
【請求項３】
前記ハンズフリー通話の開始までの時間が設定可能であることを特徴とする請求項１又は２に記載の携帯電話機。
【請求項４】
前記筐体に設けられた表示部と、
前記通話モードが前記ハンズフリーモードである場合に、前記表示部に通話音量を表示する表示制御手段と
を備えていることを特徴とする１〜３の何れか１項に記載の携帯電話機。
【請求項５】
通話モードがハンズフリーモードである場合に、着信に対して自動的に着信操作を行い、ハンズフリー通話を開始可能にする携帯電話機を装着可能な携帯用ホルダーにおいて、
前記携帯電話機の装着状態を検知する検知部と、
前記検知部が検知した前記携帯電話機の装着状態に応じて前記携帯電話機の通話モードを通常モードとハンズフリーモードとに切り替えるモード切替信号を送信する信号送信部と
を備えており、
前記モード切替信号は、
前記携帯電話機が装着されると、前記通話モードをハンズフリーモードに切り替え、
前記携帯電話機が脱着されると、前記通話モードを通常モードに切り替える信号であることを特徴とする携帯用ホルダー。
【発明の詳細な説明】
【技術分野】
【０００１】
本発明は、携帯電話機及び携帯用ホルダーに関するものである。
【背景技術】
【０００２】
近年の携帯電話機には、携帯電話機を持たずに通話をする、所謂「ハンズフリー通話」を行う機能が設けられている。例えば、特許文献１には、ユーザがアプリケーションを操作している状態の画面で着信があると、アプリケーションを表示したまま着信アイコンを表示する画面になり、その画面において、ハンズフリーキーを押すとアプリケーションを表示したまま操作も通話もできる携帯電話機が開示されている。
【０００３】
【特許文献１】特開２００５―２１７４９０公報（図４）
【発明の開示】
【発明が解決しようとする課題】
【０００４】
ところが、特許文献１のようにハンズフリーキーを操作することでハンズフリー通話を行う携帯電話機では、例えば、車の運転中などにハンズフリーキーを操作できない状況で着信があった場合、危険が伴うおそれがある。
【０００５】
そこで、本発明の目的は、不要な操作をすることなく、簡単にハンズフリーモードで通話することができる携帯電話機及び専用ホルダーを提供することである。
【課題を解決するための手段及び効果】
【０００６】
上記目的を達成するために、本発明は、筐体と、筐体が装着可能な専用ホルダーに対して、筐体の装着状態を検知する検知部と、検知部が検知したの装着状態に応じて通話モードを通常モードとハンズフリーモードとに切り替えるモード切替部と、モード切替部が通話モードをハンズフリーモードに切り替えると、着信に対して自動的に着信操作を行い、ハンズフリー通話を開始する通話開始部とを備えており、モード切替部は、筐体が専用ホルダーに装着されると、通話モードをハンズフリーモードに切り替え、筐体が専用ホルダーから脱着されると、通話モードを通常モードに切り替えることを特徴としている。
【０００７】
この発明は、携帯電話機が専用ホルダーに装着又は脱着することで通話モードが切り替わり、ハンズフリーモードに切り替わると着信に対して自動的に着信操作を行い、携帯電話機を持たずに通話するハンズフリー通話を開始する構成となっている。例えば、車の運転などをする際に通話モードをハンズフリーモードに変更したい場合、携帯電話機を専用ホルダーに装着するだけで、携帯電話機を操作することなく自動的にハンズフリーモードに切り替えることができ、かつ、着信時に着信操作しなくても通話ができるようになる。そして、専用ホルダーから脱着することで、通話モードを通常モードに切り替えることができる。これにより、不要な操作をすることなく、簡単にハンズフリーモードで通話することができる。
【０００８】
また、別の観点において本発明は、筐体と、筐体に設けられ、使用状態時に筐体を自立可能にするスタンドと、スタンドの使用・不使用状態を検知する状態検知手段と、スタンドが使用状態の場合に通話モードをハンズフリーモードに切り替え、スタンドが不使用状態の場合に通話モードを通常モードに切り替えるモード切替部と、モード切替部が通話モードをハンズフリーモードに切り替えると、着信に対して自動的に着信操作を行い、ハンズフリー通話を開始する通話開始部とを備えていることを特徴としている。
【０００９】
上記発明は、携帯電話機の筐体を自立可能にするスタンドの使用状態に応じて通話モードが切り替わり、ハンズフリーモードに切り替わると着信に対して自動的に着信操作を行い、ハンズフリー通話を開始する構成となっている。例えば、通話モードをハンズフリーモードに変更したい場合、スタンドを使用状態にするだけで、携帯電話機を操作することなく自動的にハンズフリーモードに切り替えることができ、かつ、着信時に着信操作しなくても通話ができるようになる。そして、スタンドを不使用状態にすることで、通話モードを通常モードに切り替えることができる。これにより、不要な操作をすることなく、簡単にハンズフリーモードで通話することができる。
【００１０】
さらに、本発明は、ハンズフリー通話の開始までの時間が設定可能であることを特徴としている。
【００１１】
この構成によると、予め設定された時間でハンズフリー通話を開始できるようになる。
【００１２】
また、本発明は、筐体に設けられた表示部と、通話モードがハンズフリーモードである場合に、表示部に通話音量を表示する表示制御手段とを備えていることを特徴としている。
【００１３】
この構成によると、ハンズフリーモードにおいて表示部に通話音量を表示することで、通話相手にどの程度の音量で伝わっているかを認識できる場合がある。
【００１４】
さらに、本発明は、通話モードがハンズフリーモードである場合に、着信に対して自動的に着信操作を行い、ハンズフリー通話を開始可能にする携帯電話機を装着可能な携帯用ホルダーにおいて、携帯電話機の装着状態を検知する検知部と、検知部が検知したの装着状態に応じての通話モードを通常モードとハンズフリーモードとに切り替えるモード切替信号を送信する信号送信部とを備えており、モード切替信号は、携帯電話機が装着されると、通話モードをハンズフリーモードに切り替え、携帯電話機が脱着されると、通話モードを通常モードに切り替える信号であることを特徴としている。
【００１５】
この構成によると、携帯電話機の装着状態に応じて、携帯電話機の通話モードを切り替える信号を送信するようになっている。例えば、車の運転などをする際に通話モードをハンズフリーモードに変更したい場合、携帯電話機を携帯用ホルダーに装着するだけで、携帯電話機を操作することなく自動的にハンズフリーモードに切り替えることができる。そして、携帯用ホルダーから脱着することで、通話モードを通常モードに切り替えることができる。これにより、不要な操作をすることなく、簡単にハンズフリーモードで通話することができる。
【発明を実施するための最良の形態】
【００１６】
本発明の好適な実施の形態を図１ないし図６に基づいて以下に説明する。
【００１７】
（第１実施形態）
本実施形態にかかる携帯電話機１は、ハンズフリーモードでの通話が可能であって、図１（ａ）及び図１（ｂ）に示すように、上部筐体１ａと、下部筐体１ｂとから構成される。なお、ハンズフリーモードとは、携帯電話機１を持たなくても通話を可能にする通話モードである。以下の説明において、ハンズフリーモードでない通話モードを通常モードとする。上部筐体１ａには、音声スピーカ部２及びディスプレイ３、アンテナ４、カメラ５が設けられており、下部筐体１ｂには、前面側にマイク部７及び操作キー６、底面にセンサ８が設けられている。ここで、下部筐体１ｂの底面とは、具体的には、図１（ｂ）に示すように、携帯電話機１をスタンド装置２０に載置した場合に、基台部２１の上面と接触する面である。携帯電話機１は、さらに、図２に示すように、マイクロコンピュータ１０、不揮発性メモリ１１、音声回路１２、無線部１３、二次電池１４及び通信部１５を内蔵された構成となっている。
【００１８】
なお、本実施の形態の携帯電話機１は、折り畳み式となっており、上部筐体１ａ及び下部筐体１ｂは、ヒンジ部１ｃにより連結されており、上部筐体１ａ及び下部筐体１ｂは、図１の開いた状態から、上部筐体１ａ及び下部筐体１ｂが互いに重なり合った、閉じた状態（図示せず）へと変形できるようになっている。より具体的には、閉じた状態ではディスプレイ３と操作キー６とが向かい合うように、上部筐体１ａと下部筐体１ｂとが重合するようになっている。
【００１９】
ディスプレイ３は、上部筐体１ａの前面側に設けられた大型の表示画面であり、様々な情報や画面、例えば、携帯電話機１の記憶手段（不揮発性メモリ等）に記憶された情報や、携帯電話機１の各種機能を設定する設定画面（例えば、図３）、実行されるプログラムの実行画面（例えば、図４）等を一画面に表示する。
【００２０】
図３に示す設定画面は、自動応答時間設定機能を呼び出すことで表示される。自動応答時間は、通話モードがハンズフリーモードの場合に着信してから操作することなく自動で応答し、通話を開始するまでの時間である。設定画面には、中央に、自動応答までの時間を操作キー６から入力する入力欄３１と、画面右下に、入力欄３１に入力された値で時間を設定する決定ボタン３２が表示される。決定された値はＲＡＭ又は不揮発性メモリ１１に記憶される。
【００２１】
また、図４に示す実行画面は、通話モードがハンズフリーモードの場合に、通話中に通話音量を表示する音量表示画面である。通話音量は、マイク部７から入力された音声の音量であって、音量表示画面には、中央に、音量が認識できる音量目盛り３３と、下方に、音量目盛り３３をレベル表示したレベル値３４が表示される。携帯電話機１の使用者は、音量表示画面を見ることで通話相手にどの程度の音量で音声が届いているかを把握できる場合がある。
【００２２】
音声スピーカ部２及びマイク部７は、上部筐体１ａの前面側の上方及び下部筐体１ｂの前面側の下方にそれぞれ設けられ、図２に示すように、音声回路１２に接続されている。そして、音声回路１２は、さらに無線部１３に接続されている。無線部１３は、マイクロコンピュータ１０により制御されて、アンテナ４を通じて電波を媒体として図示しない基地局に対してデータを送受信する。また、音声回路１２は、無線部１３からマイクロコンピュータ１０を通じて出力された受信信号を音声スピーカ部２に出力するとともに、マイク部７から出力された音声信号を送信信号としてマイクロコンピュータ１０を通じて無線部１３に出力する。
【００２３】
カメラ５は、ディスプレイ３の前方を撮像する撮像手段であって、テレビ電話等に使用される。撮像して得られた画像データや動画データは不揮発性メモリ１１に記憶される。カメラ５は、ＣＣＤカメラ、ＣＭＯＳセンサカメラ等を挙げることができる。なお、通話モードがハンズフリーモードに切り替えられると、カメラ５を自動的に起動し、テレビ電話が開始されるように制御してもよい。詳しくは後述するが、ハンズフリーモードでは着信があった場合に自動応答するようになっている。そして、ハンズフリーモードに切り替えられると、カメラ５を自動的に起動するようにすることで、例えば、部屋の片隅に携帯電話機１を設置し、かかる携帯電話機１に電話することで、自動的にカメラが起動し、部屋の状況をモニタリングすることができる場合がある。
【００２４】
センサ８は、携帯電話機１がスタンド装置２０に装着又は脱着されたことを検知する検知手段であり、携帯電話機１が装着又は脱着されると、検知信号をマイクロコンピュータ７に送信するようになっている。センサ８は、例えば、反射型のセンサで装着を検知するものであってもよいし、コネクタのように差し込むことで装着を検知するものであってもよい。
【００２５】
通信部１５は、スタンド装置２０の通信部と接続し、通信を行う。具体的には、赤外線などを用いた通信技術を利用し、音声等のデータの送受信を行う。
【００２６】
上記の各装置は、マイクロコンピュータ１０に接続され、マイクロコンピュータ１０によって制御される。マイクロコンピュータ１０は、ＣＰＵ、ＲＯＭ及びＲＡＭから構成されたもので、不揮発性メモリ１１に記憶されるプログラムの実行等を行い、後述の図５に示す処理ルーチン等を実行する。具体的には、電話の発着信処理、電子メールの作成送受信処理、インターネット処理、ディスプレイ３の画像表示処理、通話モードの切り替え処理などを行う。また、電子メールの送受信及びインターネットによるデータの送受信は、マイクロコンピュータ１０が無線部１３及びアンテナ４を介して行う。
【００２７】
不揮発性メモリ１１は、例えば、待受画像用の画像データ等の各種データや自動着信用プログラム等の各種プログラムを不揮発的に記憶する。ここで自動着信用プログラムとは、上記センサ８がスタンド装置２０に装着されたことを検知すると起動され、着信があると自動的に応答する携帯電話機１の制御プログラムである。二次電池１４は、マイクロコンピュータ１０などに電力を供給し、携帯電話機１を動作可能にする。
【００２８】
（スタンド装置）
スタンド装置２０は、上述の携帯電話機１が装着可能な専用ホルダーであって、下端に略台形状の基台部２１を備えて、前面側には着信等を報知するランプ２１ａが設けられている。この基台部２１の底面には、例えば吸盤やマグネットを取り付けておき、自動車内にも設置できるように構成してもよい。
【００２９】
基台部２１の上面には、携帯保持部２３が立設されており、この携帯保持部２３は、背面部２３ａの左右端から前方側へ突出する側面部２３ｂ・２３ｃが形成されており、この背面部２３ａ、側面部２３ｂ・２３ｃ、基台部２１の上面に囲まれて、前面側が開放された収納部Ｓが形成されており、この収納部Ｓ内に上方又は前方から携帯電話機１を差し込んで、図１（ｂ）に示すように携帯電話機１を自立させることができるものとなっている。
【００３０】
なお、側面部２３ｂは、背面部２３ａ及び基台部２１の上面に固設されており、側面部２３ｃは、側面部２３ｂ方向に摺動可能に背面部２３ａに設けられている。具体的には、背面部２３ａには、２つのガイド２３ｄが設けられており、そのガイド２３ｄに沿って摺動可能となるように設けられている。これにより、携帯電話機１を収納部Ｓに差し込んだ場合、携帯電話機１の幅に関係なく、携帯電話機１を固定することができる。
【００３１】
基台部２１の上面には、通信部２４が設けられている。かかる通信部２４は、携帯電話機１の通信部１５と赤外線通信等により接続し、収納部Ｓ内に携帯電話機１を自立させ収納させた状態で、携帯電話機１と基台部２１のマイク２５ａ・スピーカ２６等が接続されるようになっている。なお、基台部２１の前面には、マイク用の開口２５が形成されており、その内側にマイク２５ａが内蔵されて、基台部２１の前面には、スピーカ２６も設けられている。マイク２５ａ及びスピーカ２６は音声回路２７に接続されており、音声回路２７は、さらに通信部２４に接続されている。通信部２４は、ＣＰＵ、ＲＯＭ及びＲＡＭから構成されるマイクロコンピュータ２８により制御されて、携帯電話機１とデータを送受信する。
【００３２】
図１（ｂ）に示すように、収納部Ｓ内に携帯電話機１を差し込んで、自立させた状態では、携帯電話機１のディスプレイ３が良好に見える状態となり、両手を自由に使える状態で、ディスプレイ３を見ながら通話ができるものとなる。
【００３３】
（携帯電話機の動作）
次に、図５を参照しつつ、携帯電話機１の動作について説明する。まず、携帯電話機１の電源がオンにされると、図５の動作処理ルーチンが実行され、待ち受け状態とする（Ａ１）。待ち受け状態とは、電話等が着信可能な状態であって、例えば、ディスプレイ３に待ち受け画面用の画像や現在時刻などを表示したりする。次に、自動応答時間設定機能が呼び出されたか否かを判定する（Ａ２）。自動応答時間設定機能が呼び出された場合（Ａ２：ＹＥＳ）、図３に示す設定画面を表示して（Ａ３）、決定ボタン３２が操作されると入力欄３１に入力された値を応答時間として不揮発性メモリ１１等に格納する（Ａ４）。そして、Ａ５に移行する。また、自動応答時間設定機能が呼び出されていない場合（Ａ２：ＮＯ）、Ａ５に移行する。
【００３４】
次に、スタンド装置２０に装着されたか否かを判定する（Ａ５）。スタンド装置２０に装着されていない場合（Ａ５：ＮＯ）、続いて、着信しているか否かを判定する（Ａ６）。着信していない場合（Ａ６：ＮＯ）、Ａ１に戻り、着信している場合（Ａ６：ＹＥＳ）、応答・通話処理を行う（Ａ７）。具体的には、着信中に操作キー６の何れかが操作されると音声通信を開始し、通話が終了すると音声通信を終了する。その後、Ａ１に戻る。
【００３５】
また、スタンド装置２０に装着された場合（Ａ５：ＹＥＳ）、通話モードをハンズフリーモードに切り替えると共に、不揮発性メモリ１１に格納される自動応答プログラムを起動する（Ａ８）。続いて、着信しているか否かを判定する（Ａ９）。着信している場合（Ａ９：ＹＥＳ）、自動応答処理を実行する（Ａ１０）。自動応答処理とは、図３の設定画面で設定された応答時間が経過すると自動で応答し、図４に示す音量表示画面を表示し、通話を開始する処理である。そして、通話が終了したか否かを判定する（Ａ１１）。
【００３６】
ここで、ハンズフリーモードにおける通話が終了する場合として、通話開始から所定の時間が経過したり、通話相手が電話を切ったりする場合がある。通話が終了していない場合（Ａ１１：ＮＯ）、通話が終了するまでＡ１１を繰り返す。通話が終了した場合（Ａ１１：ＹＥＳ）、通信を遮断して、続いて、スタンド装置２０から脱着されたか否かを判定する（Ａ１２）。スタンド装置２０から脱着された場合（Ａ１２：ＹＥＳ）、通話モードを通常モードに切り替えると共に、自動応答プログラムを終了し（Ａ１３）、Ａ１に戻る。スタンド装置２０から脱着されていない場合（Ａ１２：ＮＯ）Ａ９に戻り、上記動作を繰り返す。
【００３７】
なお、本実施の形態では、携帯電話機１をスタンド装置２０に装着すると、携帯電話機１が装着されたことを検知して、通話モードをハンズフリーモードに切り替えるようになっているが、スタンド装置２０が、携帯電話機１が装着されたことを検知して、携帯電話機１に通話モードを切り替えさせる信号を送信するようにしてもよい。具体的には、基台部２１に設けたセンサが、携帯電話機１が装着されたことを検知すると、携帯電話機１に通話モードをハンズフリーモードに切り替えさせる切替信号を送信するプログラムをマイクロコンピュータ２８のＣＰＵ等に実行させる。そして、携帯電話機１は、スタンド装置２０から切替信号を受信すると、通話モードをハンズフリーモードに切り替える。
【００３８】
また、かかるプログラムは、携帯電話機１がスタンド装置２０から脱着されたことを検知すると、通話モードを通常モードに切り替える切替信号を送信するようになっている。そして、携帯電話機１は、スタンド装置２０から切替信号を受信すると、通話モードを通常モードに切り替える。
【００３９】
これにより、携帯電話機１をスタンド装置２０に装着するだけで、余分な操作をすることなくハンズフリーモードに切り替えることができるようになる。
【００４０】
（第２実施形態）
次に、本発明の第２の実施の形態の携帯電話機について図６を参照しつつ説明する。第１の実施の形態では、携帯電話機１はスタンド装置２０に装着することで自立させるようになっているが、本実施の形態では、スタンド部材９が携帯電話機１に設けられており、スタンド部材９を使用することで自立可能なようになっている。なお、第１の実施の形態と同一の部材等については同一の符号を用いて説明は省略する。
【００４１】
本実施の形態の携帯電話機１は、図６に示すように、下部筐体１ｂにスタンド部材９が設けられている。スタンド部材９は、軸支部９ａを中心に回動可能に下部筐体１ｂに取り付けられている。スタンド部材９は、通常は下部筐体１ｂの背面と略同一平面を成すように畳み込まれており、携帯電話機１を立てて置く場合には、スタンド部材９を背面側へ引き起こすことで、携帯電話機１を支持できるようになっている。
【００４２】
また、下部筐体１ｂの背面と密着するスタンド部材９の面には、略円柱状の凸部９ｂが設けられており、下部筐体１ｂの背面には、凸部９ｂと係合する凹部（図示せず）が設けられている。凹部にはセンサが組み込まれており、凸部９ｂが凹部と係合することで、スタンド部材９が下部筐体１ｂに畳み込まれていることを検知できるようになっている。従って、スタンド部材９が背面側へ引き起こされ、凸部９ｂが凹部から隔離されると、スタンド部材９が使用状態である、即ち、携帯電話機１が自立可能状態であることを検知できるようになっている。
【００４３】
上記スタンド部材９を使用状態にすることで、通話モードがハンズフリーモードへと切り替えられる。そして、スタンド部材９を下部筐体１ｂに畳み込むことで、通話モードが通常モードへと切り替えられるようになっている。ハンズフリーモードにおける携帯電話機１の動作は第１の実施の形態と同様であるため説明は省略する。
【００４４】
（本実施形態の概要）
以上、説明したように、第１の実施の形態は、筐体（例えば、上部筐体１ａ及び下部筐体１ｂ）と、筐体が装着可能な専用ホルダー（例えば、スタンド装置２０）に対して、筐体の装着状態を検知する検知部（例えば、センサ８）と、検知部が検知したの装着状態に応じて通話モードを通常モードとハンズフリーモードとに切り替えるモード切替部（例えば、マイクロコンピュータ１０）と、モード切替部が通話モードをハンズフリーモードに切り替えると、着信に対して自動的に着信操作を行い、ハンズフリー通話を開始する通話開始部（例えば、マイクロコンピュータ１０）とを備えており、モード切替部は、筐体が専用ホルダーに装着されると、通話モードをハンズフリーモードに切り替え、筐体が専用ホルダーから脱着されると、通話モードを通常モードに切り替える構成となっている。
【００４５】
これによると、携帯電話機が専用ホルダーに装着又は脱着することで通話モードが切り替わり、ハンズフリーモードに切り替わると着信に対して自動的に着信操作を行い、携帯電話機を持たずに通話するハンズフリー通話を開始する構成となっている。例えば、車の運転などをする際に通話モードをハンズフリーモードに変更したい場合、携帯電話機を専用ホルダーに装着するだけで、携帯電話機を操作することなく自動的にハンズフリーモードに切り替えることができ、かつ、着信時に操作しなくても通話ができるようになる。そして、専用ホルダーから脱着することで、通話モードを通常モードに切り替えることができる。これにより、不要な操作をすることなく、簡単にハンズフリーモードで通話することができる。
【００４６】
また、第２の実施の形態は、筐体（例えば、上部筐体１ａ、下部筐体１ｂ）と、筐体に設けられ、使用状態時に筐体を自立可能にするスタンド（例えば、スタンド部材９）と、スタンドの使用・不使用状態を検知する状態検知手段（例えば、凸部９ａ、下部筐体１ｂの凹部）と、スタンドが使用状態の場合に通話モードをハンズフリーモードに切り替え、スタンドが不使用状態の場合に通話モードを通常モードに切り替えるモード切替部（例えば、マイクロコンピュータ１０）と、モード切替部が通話モードをハンズフリーモードに切り替えると、着信に対して自動的に着信操作を行い、ハンズフリー通話を開始する通話開始部（例えば、マイクロコンピュータ１０）とを備えた構成である。
【００４７】
これによると、携帯電話機の筐体を自立可能にするスタンドの使用状態に応じて通話モードが切り替わり、ハンズフリーモードに切り替わると着信に対して自動的に着信操作を行い、ハンズフリー通話を開始する構成となっている。例えば、通話モードをハンズフリーモードに変更したい場合、スタンドを使用状態にするだけで、携帯電話機を操作することなく自動的にハンズフリーモードに切り替えることができ、かつ、着信時に着信操作しなくても通話ができるようになる。そして、スタンドを不使用状態にすることで、通話モードを通常モードに切り替えることができる。これにより、不要な操作をすることなく、簡単にハンズフリーモードで通話することができる。
【００４８】
さらに、上述の実施の形態は、ハンズフリー通話の開始までの時間が設定可能となっている。この構成によると、予め設定された時間でハンズフリー通話を開始できるようになる。
【００４９】
また、上述の実施の形態は、筐体に設けられた表示部（例えば、ディスプレイ３）と、通話モードがハンズフリーモードである場合に、表示部に通話音量を表示する表示制御手段（例えば、マイクロコンピュータ１０）とを備えてた構成となっている。
【００５０】
この構成によると、ハンズフリーモードにおいて表示部に通話音量を表示することで、通話相手にどの程度の音量で伝わっているかを認識できる場合がある。
【００５１】
さらに、本発明は、通話モードがハンズフリーモードである場合に、着信に対して自動的に着信操作を行い、ハンズフリー通話を開始可能にする携帯電話機を装着可能な携帯用ホルダー（例えば、スタンド装置２０）において、携帯電話機の装着状態を検知する検知部（例えば、基台部２１に設けたセンサ）と、検知部が検知したの装着状態に応じての通話モードを通常モードとハンズフリーモードとに切り替えるモード切替信号を送信する信号送信部（例えば、マイクロコンピュータ２８）とを備えており、モード切替信号を、携帯電話機が装着されると、通話モードをハンズフリーモードに切り替え、携帯電話機が脱着されると、通話モードを通常モードに切り替える信号とした構成である。
【００５２】
この構成によると、携帯電話機の装着状態に応じて、携帯電話機の通話モードを切り替える信号を送信するようになっている。例えば、車の運転などをする際に通話モードをハンズフリーモードに変更したい場合、携帯電話機を携帯用ホルダーに装着するだけで、携帯電話機を操作することなく自動的にハンズフリーモードに切り替えることができる。そして、携帯用ホルダーから脱着することで、通話モードを通常モードに切り替えることができる。これにより、不要な操作をすることなく、簡単にハンズフリーモードで通話することができる。
【００５３】
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【００５４】
【図１】（ａ）本実施の形態の携帯電話機及びスタンド装置の斜視図。（ｂ）携帯電話機をスタンド装置に装着した場合の概略図。
【図２】本実施の形態の携帯電話機のブロック図。
【図３】携帯電話機のディスプレイに表示される設定画面を示す断面図。
【図４】携帯電話機のディスプレイに表示される音量表示画面を示す図。
【図５】携帯電話機の動作処理ルーチンを示す図。
【図６】第２の実施形態の携帯電話機の斜視図。
【符号の説明】
【００５５】
１  携帯電話機
２  スピーカ部
３  ディスプレイ
４  アンテナ
５  カメラ
６  操作キー
７  マイク部
８  センサ
９  スタンド部材
１０  マイクロコンピュータ
１１  不揮発性メモリ
【図１】
2007096572.tif 000003
【図２】
2007096572.tif 000004
【図３】
2007096572.tif 000005
【図４】
2007096572.tif 000006
【図５】
2007096572.tif 000007
【図６】
2007096572.tif 000008